(57)【特許請求の範囲】
【請求項１】
互いに対向する一対の搬送ベルトを有し、画像を形成した記録媒体を前記一対の搬送ベルトの間に挟持して所定方向に沿って搬送する記録媒体搬送部と、
前記記録媒体搬送部で搬送した記録媒体上の画像を読み取る画像読み取り手段と、
前記一対の搬送ベルトの少なくとも一方の内側に設けられ、前記記録媒体搬送部で搬送される記録媒体を冷却する冷却手段と、
を備え、
前記記録媒体搬送部における記録媒体の搬送方向に沿って下流側の末端において、一方の搬送ベルトが他方の搬送ベルトよりも前記搬送方向下流側に突出して画像読取面を形成するとともに、
前記画像読取手段は、前記画像読取面において記録媒体の画像を読み取ることを特徴とする画像読取装置。
【請求項２】
前記記録媒体搬送部で搬送された記録媒体を画像読取面に保持する記録媒体保持手段を備える請求項１に記載の画像読取装置。
【請求項３】
前記記録媒体保持手段は、記録媒体を画像読取面に静電的に吸着する静電吸着手段である請求項２に記載の画像読取装置。
【請求項４】
前記記録媒体保持手段は、記録媒体を画像読取面に空気流で押圧する空気流押圧手段である請求項２に記載の画像読取装置。
【請求項５】
前記記録媒体の搬送方向に沿って画像読取手段の下流側に位置する一対のローラであって、記録媒体搬送部で搬送される記録媒体を前記一対のローラの間に挟持することによって前記記録媒体の姿勢を制御する姿勢制御ローラを有する請求項１〜４のいずれか１項に記載の画像読取装置。
【請求項６】
請求項１〜５のいずれか１項に記載の画像読取装置と、
前記画像読取装置の備える画像読取手段における画像読取結果に基いて前期記録媒体の画像の良否を判定する画像良否判定部と、
を備えることを特徴とする画像検査装置。
【請求項７】
記録媒体に画像を形成する画像形成部と、
前記画像形成部で画像を形成した記録媒体を所定方向に搬送しつつ、前記記録媒体上の画像を読み取ってその良否を判定する請求項６に記載の画像読取装置と、
を備えることを特徴とする画像形成装置。
【請求項８】
前記画像形成部は記録媒体の片面のみに画像を形成する片面画像形成装置であり、
前記画像読取装置における画像読取手段の搬送方向下流側に、前記画像読取手段で画像を読み取られた記録媒体を、表裏を逆にして前記画像形成部に供給する記録媒体戻し部が設けられている請求項７に記載の画像形成装置。
【請求項９】
前記画像形成部は、感光体を露光して形成した静電潜像にトナーを付着させてトナー画像とし、これを記録媒体に転写する電子写真画像形成部と、前記電子写真画像形成部で記録媒体に形成したトナー画像を定着させる定着部とを備える請求項７または８に記載の画像形成装置。
【請求項１０】
前記画像形成部は、磁気潜像保持体の表面に形成された磁気潜像を、磁性トナーと液体状の媒体とを含有する液体現像剤で顕像化して磁性トナー画像とし、これを記録媒体に転写する磁気画像形成部と、前記磁気画像形成部で記録媒体に転写された磁性トナー画像を定着させる定着部とを備える請求項７または８に記載の画像形成装置。
【請求項１１】
前記画像形成部は、インクを記録媒体に向かって滴状に吐出して画像を形成するインクジェット画像形成部である請求項７または８に記載の画像形成装置。
【発明の詳細な説明】
【技術分野】
【０００１】
本発明は、画像読取装置、画像検査装置、および画像形成装置に関する。
【背景技術】
【０００２】
近年、比較的小規模な出版事業において、オフセット印刷機や凸版印刷機、グラビア印刷機などの通常の印刷機に代えて電子写真式プリンタやインクジェットプリンタなどの画像形成装置を用いて印刷を行うことが検討されている。
【０００３】
前記出版事業に使用する画像形成装置においては、従来からの画像形成装置に、印刷済みの用紙を搬出しつつ、印刷画像の色安定性、画像位置安定性、表裏レジ安定性、および画像欠陥の有無を検出するシステムを付加することが検討されている。
【０００４】
印刷画像が形成された用紙などの記録媒体を所定方向に搬送しながら前記印刷画像を読み取るシステムとしては。たとえば以下のようなもの：
(1)一対の孔開きベルトに現像済みの写真フィルムを挟み込み、写真フィルムの画像を印画紙に投影する写真焼付け処理装置（特許文献１）、
(2)紙葉類をベルトで挟んで搬送し、出口において前記紙葉類の変形をセンサで検出する紙葉類の搬送装置（特許文献２）、
(3)台紙とカバーシートとの間に原稿を挟み、その上をセンサが走査して画像を読み込む読み取り原稿サポート部材（特許文献３）、
(4)写真フィルムを対向ローラで搬送し、ＣＣＤラインセンサで画像を読み取るフィルムキャリア（特許文献４）、
(5)画像読み取り位置で、吸着手段（静電吸着）によって搬送手段に原稿を吸着して搬送し、画像を読み取る原稿搬送装置および画像読取装置（特許文献５）、
(6)ベルト面上の原稿をエアでベルト上に押圧し、ラインセンサで画像を読み取る画像読取装置（特許文献６）、
(7)帳票を紙送りロールで搬送しつつ、２つのロール間で画像を読み取る帳票処理装置（特許文献７）、
(8)中間転写ベルトに転写されたトナー画像を二次転写位置で記録用紙に転写した後、中間転写ベルトと記録用紙とを重ね合わせた状態で搬送しつつ冷却し、トナーのガラス転移温度をＴｇとしたときＴｇ＋１０℃よりも低い温度まで冷却されたら記録用紙を中間転写ベルトから剥離する画像形成方法（特許文献８）
がある。
【特許文献１】特開平０７−２７０９３４号公報
【特許文献２】特開２０００-２６２９７６号公報
【特許文献３】特開平０８−３３９０４０号公報
【特許文献４】特開平１１−１６０８０６号公報
【特許文献５】特開２００１−２８１９３７号公報
【特許文献６】特開２００６−１２９２５３号公報
【特許文献７】特開２００２−２９３４５２号公報
【特許文献８】特開２００１−１００５３７号公報
【発明の開示】
【発明が解決しようとする課題】
【０００５】
本発明は、上記問題を解決すべく成されたもので、画像を形成した記録媒体を所定方向に搬送しつつ画像を読み取る画像読取装置において、記録媒体を一定の姿勢および経路で搬送しつつ画像を読み取ることが可能なものの提供を目的とする。
【課題を解決するための手段】
【０００６】
請求項１に記載の発明は画像読取装置に関し、互いに対向する一対の搬送ベルトを有し、画像を形成した記録媒体を前記一対の搬送ベルトの間に挟持して所定方向に沿って搬送する記録媒体搬送部と、前記記録媒体搬送部で搬送した記録媒体上の画像を読み取る画像読み取り手段と、前記一対の搬送ベルトの少なくとも一方の内側に設けられ、前記記録媒体搬送部で搬送される記録媒体を冷却する冷却手段と、を備え、前記記録媒体搬送部における記録媒体の搬送方向に沿って下流側の末端において、一方の搬送ベルトが他方の搬送ベルトよりも前記搬送方向下流側に突出して画像読取面を形成するとともに、前記画像読取手段は、前記画像読取面において記録媒体の画像を読み取ることを特徴とする。
【０００７】
請求項２に記載の発明は、請求項１に記載の画像読取装置において、前記記録媒体搬送部で搬送された記録媒体を画像読取面に保持する記録媒体保持手段を備えることを特徴とする。
【０００８】
請求項３に記載の発明は、請求項２に記載の画像読取装置において、前記記録媒体保持手段が記録媒体を画像読取面に静電的に吸着する静電吸着手段であることを特徴とする。
【０００９】
請求項４に記載の発明は、請求項２に記載の画像読取装置において、前記記録媒体保持手段が記録媒体を画像読取面に空気流で押圧する空気流押圧手段であることを特徴とする。
【００１１】
請求項５に記載の発明は、請求項１〜４のいずれか１項に記載の画像読取装置において、前記記録媒体の搬送方向に沿って画像読取手段の下流側に位置する一対のローラであって、記録媒体搬送部で搬送される記録媒体を前記一対のローラの間に挟持することによって前記記録媒体の姿勢を制御する姿勢制御ローラを有することを特徴とする。
【００１２】
請求項６に記載の発明は画像検査装置に関し、請求項１〜５のいずれか１項に記載の画像読取装置と、前記画像読取装置の備える画像読取手段における画像読取結果に基いて前期記録媒体の画像の良否を判定する画像良否判定部と、を備えることを特徴とする。
【００１３】
請求項７に記載の発明は画像形成装置に関し、記録媒体に画像を形成する画像形成部と、前記画像形成部で画像を記録した記録媒体を所定方向に搬送しつつ、前記記録媒体上の画像を読み取ってその良否を判定する請求項７に記載の画像検査装置と、を備えることを特徴とする。
【００１４】
請求項８に記載の発明は、請求項７に記載の画像形成装置において、前記画像形成部が記録媒体の片面のみに画像を形成する片面画像形成装置であり、前記画像検査装置が備える画像読取手段の搬送方向下流側に、前記画像読取手段で画像を読み取られた記録媒体を、表裏を逆にして前記画像形成部に供給する記録媒体戻し部が設けられていることを特徴とする。
【００１５】
請求項９に記載の発明は、請求項７または８に記載の画像形成装置において、前記画像形成部が、感光体を露光して形成した静電潜像にトナーを付着させてトナー画像とし、これを記録媒体に転写する電子写真画像形成部と、前記電子写真画像形成部で記録媒体に形成したトナー画像を定着させる定着部とを備えることを特徴とする。
【００１６】
請求項１０に記載の発明は、請求項７または８に記載の画像形成装置において、前記画像形成部が、磁気潜像保持体の表面に形成された磁気潜像を、磁性トナーと液体状の媒体とを含有する液体現像剤で顕像化して磁性トナー画像とし、これを記録媒体に転写する磁気画像形成部と、前記磁気画像形成部で記録媒体に転写された磁性トナー画像を定着させる定着部とを備えることを特徴とする。
【００１７】
請求項１１に記載の発明は、請求項７または８に記載の画像形成装置において、前記画像形成部が、インクを記録媒体に向かって滴状に吐出して画像を形成するインクジェット画像形成部であることを特徴とする。
【発明の効果】
【００１８】
請求項１の発明によれば、記録媒体搬送部において、画像が形成された記録媒体を一対の搬送ベルトの間に挟持した状態で搬送し、しかも前記搬送ベルトの下流側末端に形成された画像読取面で画像を読み取るから、記録媒体の搬送経路が一定している。したがって、高い位置精度で画像を読み取ることができる。また、記録媒体そのものに曲がりやスキューがあった場合でも、前記曲がりやスキューが修正された状態で画像が読み取られる。したがって、一対の搬送ベルトの間に記録媒体を挟持して搬送し、画像読取面で画像を読み取る形態を有しない画像読取装置に比較して画像読み取り中の記録媒体の姿勢や搬送経路の変化が少なく、高い画像読取制度で記録媒体上の画像を読み取ることのできる画像読取装置が提供される。
【００１９】
請求項２の発明によれば、記録媒体が画像読取面に保持された状態で画像が読み取られるから、記録媒体保持手段を有しない画像形成装置に比較して更に画像読取制度の高い画像読取装置が提供される。
【００２０】
請求項３の発明によれば、記録媒体が画像読取面に静電的に吸着された状態で画像を読み取るので、画像読取時に記録媒体を画像読取面に吸着しないで画像を読み取る形態の画像形成装置に比較して更に画像読取制度の高い画像読取装置が提供される。
【００２１】
請求項４の発明によれば、記録媒体を画像読取面に空気流で押圧した状態で画像を読み取るから、記録媒体を画像読取面に静電的に吸着する形態の画像読取装置とは異なり、記録媒体が静電気を帯びる可能性を排除できる。
【００２３】
請求項５の発明によれば、記録媒体搬送部で搬送される記録媒体の姿勢を姿勢制御ローラによって制御することにより、記録媒体の画像読取面からの浮き上がりやスキューを一定に制御できるから、前記姿勢制御ローラを有しない画像読取装置に比較して更に画像読み取り制度の高い画像読取装置が提供される。
【００２４】
請求項６の発明によれば、画像読取装置が一対の搬送ベルトの間に記録媒体を挟持して搬送し、画像読取面で画像を読み取る形態を有しない画像検査装置に比較してより高い信頼性で画像の良否を判定できる画像検査装置が提供される。
【００２５】
請求項７の発明によれば、画像読取装置が一対の搬送ベルトの間に記録媒体を挟持して搬送し、画像読取面で画像を読み取る形態を有しない画像検査装置を備える画像形成装置に比較して、画像の色バランスや画像欠陥をより高い信頼性で検出できる画像形成装置が提供される。
【００２６】
請求項８によれば、記録媒体戻し部の手前で画像を読み取るから、記録媒体の両面に画像を形成する場合においても画像読取手段は１個で済む。また、記録媒体戻し部の下流側で画像を読み取る形態の画像形成装置と比較して読取時の記録媒体の温度のバラツキが小さく、画像読取精度が高い。
【００２７】
請求項９によれば、画像形成部が電子写真方式である画像形成装置において、画像読取装置が一対の搬送ベルトの間に記録媒体を挟持して搬送し、画像読取面で画像を読み取る形態を有しない画像検査装置に比較して、印刷異常をより迅速に検出できる画像形成装置が提供される。
【００２８】
請求項１０によれば、画像形成部がマグネトグラフィ方式である画像形成装置において、画像読取装置が一対の搬送ベルトの間に記録媒体を挟持して搬送し、画像読取面で画像を読み取る形態を有しない画像検査装置に比較して、印刷異常をより迅速に検出できる画像形成装置が提供される。
【００２９】
請求項１１によれば、画像形成部がインクジェット方式である画像形成装置において、画像読取装置が一対の搬送ベルトの間に記録媒体を挟持して搬送し、画像読取面で画像を読み取る形態を有しない画像検査装置に比較して、印刷異常をより迅速に検出できる画像形成装置が提供される。
【発明を実施するための最良の形態】
【００３０】
１．実施形態１
本発明に係る画像形成装置の一例である電子写真式の画像プリンタについて以下に説明する。
【００３１】
実施形態１に係る画像プリンタ１００は、イエロー（Ｙ）、マゼンタ（Ｍ）、シアン（Ｃ）、および黒（Ｋ）の各色のトナー画像を静電的に形成する画像プリントエンジン２Ｙ１、２Ｙ２、２Ｍ１、２Ｍ２、２Ｃ，および２Ｋ（以下、「画像プリントエンジン２」と総称することがある。）と、矢印ａの方向に回転して画像プリントエンジン２Ｙ１、２Ｙ２、２Ｍ１、２Ｍ２、２Ｃ，および２Ｋで形成されたトナー画像が順次転写される中間転写ベルト４と、中間転写ベルト４を挟んで画像プリントエンジン２Ｙ１、２Ｙ２、２Ｍ１、２Ｍ２、２Ｃ，および２Ｋに相対するように設けられた一次転写ローラ６と、中間転写ベルト４上に転写されたトナー画像を、後述する用紙供給パス１２を通って供給された用紙（記録媒体）に転写する１対の二次転写ローラ８と、画像プリンタ１００の底部に設けられ、用紙が収納されている用紙スタッカ１０と、用紙スタッカ１０に収納された用紙を二次転写ローラ８に供給する用紙供給パス１２と、二次転写ローラ８で用紙に転写されたトナー画像を熱および圧力で定着させる定着機１４（定着部）と、定着機１４でトナー画像が定着された用紙を用紙出口側に向かって冷却しつつ搬送する搬送冷却機１６（記録媒体搬送部）と、搬送冷却機１６の出口側に設けられ、用紙上のトナー画像を読み取る画像読取機１８（画像読取手段）と、画像読取機１８の下方に設けられたデカーラ１９と、画像読取機１８に対して用紙出口側に位置する用紙リターンパス２０（記録媒体戻し部）および用紙出口２２と、二次転写ローラ８でトナー画像が転写された用紙を矢印ｂで示す方向に沿って定着機１４および搬送冷却機１６に向かって搬出する用紙搬出パス２４とを備える。画像プリンタ１００においては、画像プリントエンジン２と中間転写ベルト４と一次転写ローラ６と二次転写ローラ８とによって本発明の画像形成装置における電子写真画像形成部が形成される。また、画像プリンタ１００は、各部分を制御するとともに、画像プリントエンジン２に画像データを入力し、更に、画像読取機１８でトナー画像を読み取った結果に基いてトナー画像のＫ、Ｍ、Ｃ、Ｋの各色のバランスである色バランスの良否、および画像欠陥の有無を判定する制御コンピュータ１５０（画像良否判定部）を備える。
【００３２】
以下、搬送冷却器１６、および画像読取機１８について詳述する。
【００３３】
図２および図３に示すように、搬送冷却器１６は、用紙を間に挟持して搬送経路Ｐに沿って矢印ｂの方向に沿って搬送する搬送ベルトコンベア３０、３２（搬送ベルト）と、搬送ベルトコンベア３０、３２のうち、上側に位置する搬送ベルトコンベア３２の内側に位置し、搬送ベルトコンベア３０、３２で挟持され、搬送される用紙を冷却する冷却器３４（冷却手段）とを備える。
【００３４】
搬送ベルトコンベア３０の搬送方向下流側の端部は搬送ベルトコンベア３２よりも搬送方向下流側に突出して画像読取面３６を形成する。
【００３５】
搬送ベルトコンベア３０は、コンベアベルト３０Ａと、コンベアベルト３０Ａが巻き掛けられる支持ローラ３０Ｂと、コンベアベルト３０Ａを挟んで搬送ベルトコンベア３２に相対するように設けられた一群の搬送面形成ローラ３０Ｃと、搬送面形成ローラ３０Ｃを所定の位置に保持して用紙の搬送経路を形成する枠状の部材である搬送面形成枠３０Ｄを備える。支持ローラ３０Ｂのうち搬送コンベア３０と搬送コンベア３２とが分離する手前にあるものは、コンベアベルト３０Ａを帯電させる帯電ローラ３１Ａとされ、最も搬送方向下流側に位置するものはコンベアベルト３０Ａを除電する除電ローラ３１Ｂとされている。
【００３６】
搬送ベルトコンベア３２は、コンベアベルト３２Ａと、コンベアベルト３２Ａが巻き掛けられる支持ローラ３２Ｂとを備える。
【００３７】
冷却器３４は、枠体３４Ａと、枠体３４Ａ内に収容された一対の冷却フィン３４Ｂと、枠体３４Ａの底部を形成するとともに、コンベアベルト３２Ａに内接する冷却ブロック３４Ｃとを備える。
【００３８】
冷却ブロック３４Ｃは底面が凸状に湾曲した板状の部材であって、上面には冷却フィン３４Ｂが当接している。また、コンベアベルト３２Ｂは、冷却ブロック３４Ｃによって、コンベアベルト３０Ａを介して搬送面形成ローラ３０Ｃに向かって押圧されている。
【００３９】
搬送ベルトコンベア３０、３２とデカーラとの間には、用紙の姿勢を制御する一対の姿勢制御ローラ３７が設けられている。
【００４０】
なお、支持ローラ３０Ｂのうち搬送コンベア３０と搬送コンベア３２とが分離する手前にあるものを帯電ローラ３１Ａとし、最も搬送方向下流側に位置するものを除電ローラ３１Ｂとする代わりに、図４に示すように、画像読取面３６に向かって空気を吹き付けるエアノズル３５を画像読取面３６の斜め上方に設けてもよい。
【００４１】
画像読取機１８は、図２〜図４に示すように、Ｒ（赤）、Ｇ（緑）、およびＢ（青）の３色に対応する一群のＣＣＤが平面状に配列され、画像読取面３６を通過する用紙上の画像を読み取るＣＣＤアレイ４０と、ＣＣＤアレイ４０で読み取った画像データを制御コンピュータ１５０に中継する画像中継ボード４２と、画像読取面３６上を搬送される用紙に光を照射するキセノンランプ４４と、キセノンランプ４４からの光が用紙に当たって反射した反射光をＣＣＤアレイ４０に導く光学系４６と、ＣＣＤアレイ４０、画像中継ボード４２、および光学系４６を収容する筐体４８とを有する。
【００４２】
光学系４６は、用紙からの反射光をＣＣＤアレイ４０に収束させて結像させる結像レンズ系４５と、用紙からの反射光を結像レンズ系４５に導く一群の平面鏡４７とから構成される。
【００４３】
以下、画像プリンタ１００の作用について説明する。
【００４４】
制御コンピュータ１５０から画像プリントエンジン２に画像データが入力されると、各画像プリントエンジン２においては感光ドラム表面にトナー画像が形成される。
【００４５】
画像プリントエンジン２で形成されたトナー画像は、一次転写ローラ６によって中間転写ベルト４に順次転写されてフルカラートナー画像が形成される。
【００４６】
同時に、用紙スタッカ１０から用紙供給パス１２を通って二次転写ローラ８に用紙が供給され、中間転写ベルト４上のフルカラートナー画像が二次転写ローラ８によって用紙に転写される。
【００４７】
フルカラートナー画像が転写された用紙は、用紙搬出パス２４を通って定着機１４に導入され、定着機１４において用紙上のフルカラートナー画像が定着される。
【００４８】
定着機１４でフルカラートナー画像が定着された用紙は、次に搬送冷却機１６における搬送ベルトコンベア３０と搬送ベルトコンベア３２との間に導入され、搬送方向ｂに沿って搬送される。
【００４９】
前記用紙は、搬送冷却機１６において、搬送方向ｂに沿って搬送されると同時に、コンベアベルト３０Ａとコンベアベルト３２Ａとの間に、フルカラートナー画像が形成された面が上側を向くように挟持された状態で搬送面形成ローラ３０Ｃによって冷却ブロック３４Ｃに押圧される。このように冷却ブロック３４Ｃに押圧されることにより、用紙の熱は冷却ブロック３４Ｃに伝達されるが、冷却ブロック３４Ｃは冷却フィン３４Ｂに接触しているから、用紙からの熱は冷却フィン３４Ｂから周囲に発散される。これにより、用紙は搬送中に常温まで冷却される。
【００５０】
用紙は、搬送ベルトコンベア３０と搬送ベルトコンベア３２との間を通過した直後に画像読取面３６を通過するが、このときに、画像読取機１８のキセノンランプ４４から用紙のフルカラートナー画像が形成された側の面に光が照射される。そして、用紙からの反射光は平面鏡４７によって結像レンズ系４５に導入され、結像レンズ系４５によってＣＣＤアレイ４０上で結像する。
【００５１】
ＣＣＤアレイ４０においては、結像した像について、Ｒ、Ｇ、Ｂの各色の強度を測定し、Ｒ、Ｇ、Ｂの各色についての画像データを得る。ＣＣＤアレイ４０で得られた画像データは、画像中継ボード４２によって制御コンピュータ１５０に入力される。
【００５２】
制御コンピュータ１５０においては、入力された画像データに基いて用紙に形成されたフルトナー画像のＹ、Ｍ、Ｃ、Ｋの各色の色バランスの良否、および画像欠陥の有無について判定する。そして、前記フルカラートナー画像の色バランスが一定の基準よりも悪いと判定したときは、画像プリントエンジン２Ｙ１、２Ｙ２、２Ｍ１、２Ｍ２、２Ｃ、２Ｋを夫々個別に制御してフルカラートナー画像の色バランスを前記基準以上に改善する。画像欠陥を検出した場合も、同様に画像欠陥が解消され、或いは受忍範囲まで軽減されるように、画像プリントエンジン２Ｙ１、２Ｙ２、２Ｍ１、２Ｍ２、２Ｃ、２Ｋを夫々個別に制御する。但し、画像プリントエンジン２Ｙ１、２Ｙ２、２Ｍ１、２Ｍ２、２Ｃ、２Ｋを制御しても解消されないような画像欠陥を検出したときは、画像欠陥を検出した旨の警報を出力するとともに、画像プリンタ１００を自動停止させる。
【００５３】
画像読取機１８によって画像を読み取った後の用紙は、デカーラ１９を通過してカールを除去されたあと、用紙出口２２に集積される。
【００５４】
但し、用紙にトナー画像を両面印刷するときは、デカーラ１９を通過した用紙は、用紙リターンパス２０に導入される。
【００５５】
用紙リターンパス２０においては、フルカラートナー画像が形成されていない側の面が画像プリントエンジン２の側を向くように用紙の表裏を逆転させ、用紙供給パス１２に戻す。用紙供給パス１２に戻された用紙は、裏面が上側を向くように二次転写ローラ８に供給され、二次転写ローラ８によって裏面に表面とは別のトナー画像が転写される。
【００５６】
裏面にトナー画像が転写された用紙は、再び定着機１４に導入され、トナー画像が定着される。そして、搬送冷却部１６で室温まで冷却された後、画像読取機１８によって画像読取面３６で裏面のトナー画像が読み取られ、色バランスの良否や画像欠陥の有無が判定される。
【００５７】
以上、画像プリントエンジン２Ｙ１、２Ｙ２、２Ｍ１、２Ｍ２、２Ｃ、２Ｋが電子写真方式の画像プリントエンジンである例について述べてきたが、画像プリントエンジン２Ｙ１、２Ｙ２、２Ｍ１、２Ｍ２、２Ｃ、２Ｋがマグネトグラフィ方式またはインクジェット方式の場合も搬送冷却機１６、画像読取機１８、およびそれらの周辺は同様に構成される。
【図面の簡単な説明】
【００５８】
【図１】図１は、実施形態１に係る画像プリンタの全体的な構成を示す断面図である。
【図２】図２は、実施形態１に係る画像プリンタにおける搬送冷却機、画像読取機、デカーラ、およびこれらの周辺の構成を示す断面図である。
【図３】図３は、実施形態１に係る画像プリンタにおける画像読取機の構成の詳細を示す拡大断面図である。
【図４】図４は、実施形態１に係る画像プリンタの別の例における画像読取機の構成の詳細を示す拡大断面図である。
【符号の説明】
【００５９】
２      画像プリントエンジン
２Ｙ１  画像プリントエンジン
２Ｙ２  画像プリントエンジン
２Ｍ１  画像プリントエンジン
２Ｍ２  画像プリントエンジン
２Ｃ    画像プリントエンジン
２Ｋ    画像プリントエンジン
４      中間転写ベルト
６      一次転写ローラ
８      二次転写ローラ
１０      用紙スタッカ
１４      定着機
１６      搬送冷却機
１８      画像読取機
１９      デカーラ
２０      用紙リターンパス
２２      用紙出口
２４      用紙搬出パス
３０      搬送ベルトコンベア
３０Ａ    コンベアベルト
３０Ｂ    支持ローラ
３０Ｃ    搬送面形成ローラ
３０Ｄ    搬送面形成枠
３１      帯電ローラ
３２      搬送ベルトコンベア
３２Ａ    コンベアベルト
３２Ｂ    支持ローラ
３４Ｂ    冷却フィン
３４Ｃ    冷却ブロック
３４      冷却器
３４Ａ    枠体
３４Ｂ    冷却フィン
３５      エアノズル
３６      画像読取面
３７      姿勢制御ローラ
４０      ＣＣＤアレイ
４２      画像中継ボード
４４      キセノンランプ
４５      結像レンズ系
４６      光学系
４７      平面鏡
４８      筐体
１００      画像プリンタ
１５０      制御コンピュータ
【図１】
0004957598.tif 000002
【図２】
0004957598.tif 000003
【図３】
0004957598.tif 000004
【図４】
0004957598.tif 000005